(57)【要約】【課題】寝具への出入りの際の使い勝手を向上すること。【解決手段】ヒータ線２２０を内部に蛇行させて配設された略長方形の本体２００と、前記ヒータ線２２０の通電を制御するコントローラ３００と、前記本体２００と前記コントローラ３００とを接続するコネクタ４００と、を含み、前記コネクタ４００は、前記本体２００の短辺の縁部近傍に設置されたコネクタ受部４１０と、前記コントローラ３００の接続コード３２０の先端に設置されたコネクタプラグ４２０とが、着脱自在に接続可能な構成の電気毛布である。これにより、一般的に寝具への出入りを行う側縁側に、電気毛布のコントローラが配設されていないため、寝具への出入りの際に邪魔になることがなく、使い勝手を向上することができる。【選択図】図１
2016201284.tif 000002
【特許請求の範囲】
【請求項１】
ヒータ線を内部に蛇行させて配設された略長方形の本体と、
前記ヒータ線の通電を制御するコントローラと、
前記本体と前記コントローラとを接続するコネクタと、を含み、
前記コネクタは、前記本体の短辺の縁部に設置されたコネクタ受部と、前記コントローラの接続コードの先端に設置されたコネクタプラグとが、着脱自在に接続可能な構成の、
電気毛布。
【請求項２】
前記本体は、一方の短辺近傍には前記ヒータ線の配設密度が高い密領域が形成され、他方の短辺近傍には前記ヒータ線の配設密度が低い疎領域が形成され、
前記コネクタ受部は、前記密領域が形成された短辺近傍の縁部に配置された、
請求項１に記載の電気毛布。
【発明の詳細な説明】
【技術分野】
【０００１】
本発明は、就寝時に身体の上に掛けて使用する電気毛布の構成に関するものである。
【背景技術】
【０００２】
従来、この種の電気毛布は、長方形の２枚の生地の間にヒータ線を蛇行させて配設した毛布本体と、毛布本体のヒータに通電して温度を制御するコントローラとを備え、コントローラは毛布本体の長辺側の外周にコネクタを介して接続された構成である（例えば、特許文献１参照）。
【０００３】
図４は、特許文献１に記載された従来の電気毛布を示すものである。図４に示すように、毛布本体１は上生地２と下生地３を接結糸で部分的に結合し、チュービングヒータ線４を蛇行させて配設し、毛布本体１の一方の長辺外周５にコネクタ６を介してコントローラ７の接続コードが接続されている。
【先行技術文献】
【特許文献】
【０００４】
【特許文献１】特開２００３−１７３８６１号公報
【発明の概要】
【発明が解決しようとする課題】
【０００５】
しかしながら、一般的に、寝具への出入は寝具の長辺の外縁側から行われるものであり、前記従来の構成では、毛布本体の長辺外縁にコントローラの接続コードが接続されているため、接続コードが接続された寝具の長辺外縁側からは出入がしにくい構成となっている。寝具が布団の場合は勿論、特に、ベッドで電気毛布を使用する場合、一般的な使用例として多く見られる、ベッドを壁際に設置した場合、コントローラと接続コードを持ち上げてベッドに出入りすることが必須となり、使い勝手という観点からは未だ改善の余地があった。
【０００６】
本発明は、上記従来技術の有する課題に鑑みてなされたものであり、布団は勿論、ベッドで使用する場合でも、使い勝手の良い電気毛布を提供することを目的とする。
【課題を解決するための手段】
【０００７】
前記従来の課題を解決するために、本発明の電気毛布は、ヒータ線を内部に蛇行させて配設された略長方形の本体と、ヒータ線の通電を制御するコントローラと、本体とコントローラとを接続するコネクタと、を含み、コネクタは、本体の短辺の縁部近傍に設置されたコネクタ受部と、コントローラの接続コードの先端に設置されたコネクタプラグとが、着脱自在に接続可能な構成である。
【０００８】
これにより、一般的に寝具への出入りを行う側縁側に、電気毛布のコントローラが配設されていないため、寝具への出入りの際に邪魔になることがなく、使い勝手を向上することができる。
【発明の効果】
【０００９】
本発明の電気毛布は、寝具への出入りの際の使い勝手を向上することができる。
【図面の簡単な説明】
【００１０】
【図１】本発明の実施の形態１における電気毛布の斜視図
【図２】本発明の実施の形態１におけるヒータ線の模式図
【図３】本発明の実施の形態１における電気毛布をベッドで使用した状態を示す斜視図
【図４】従来の電気毛布の平面図
【発明を実施するための形態】
【００１１】
第１の発明は、ヒータ線を内部に蛇行させて配設された略長方形の本体と、前記ヒータ線の通電を制御するコントローラと、前記本体と前記コントローラとを接続するコネクタと、を含み、前記コネクタは、前記本体の短辺の縁部に設置されたコネクタ受部と、前記コントローラの接続コードの先端に設置されたコネクタプラグとが、着脱自在に接続可能な構成の電気毛布である。
【００１２】
これにより、一般的に寝具への出入りを行う側縁側に、電気毛布のコントローラが配設されていないため、寝具への出入りの際に邪魔になることがなく、使い勝手を向上することができる。
【００１３】
第２の発明は、特に、第１の発明において、前記本体は、一方の短辺近傍には前記ヒータ線の配設密度が高い密領域が形成され、他方の短辺近傍には前記ヒータ線の配設密度が低い疎領域が形成され、前記コネクタ受部は、前記密領域が形成された短辺近傍の縁部に配置されたものである。
【００１４】
これにより、上下方向を間違って使用することを抑制することができるため、頭寒足熱の快適な暖房効果を確実に得ることができ、誤使用を抑制することができ、安全性と使い勝手を向上することができる。
【００１５】
以下、本発明の実施の形態について、図面を参照しながら説明する。なお、この実施の形態によって本発明が限定されるものではない。
（実施の形態１）
＜１＞ 電気毛布の構成
図１は本実施の形態における電気毛布の斜視図であり、図２はヒータ線の模式図である。
【００１６】
図１に示すように、本実施の形態における電気毛布１００は、内部にヒータ線２２０を備え縦寸法が約１９０ｃｍ、横寸法が約１３０ｃｍの略長方形の本体２００と、本体２００の通電を制御するコントローラ３００と、本体２００とコントローラ３００を接続するコネクタ４００とで構成されている。
【００１７】
本実施の形態においては、本体の長手方向を上下方向とし、特に、通常の使用時において頭側となる方を上方、足側となる方を下方とする。また、本体の長辺を側方および左右方向として以下の説明を行う。
【００１８】
本体２００は、アクリルとポリエステルからなる２枚の毛布２１０の積層体の外周部と中央部の要所を縫製糸で縫製することにより、縫製しない部分に形成されたトンネル状の挿通経路にヒータ線２２０を挿入して配置することにより、毛布２１０の略全面に亘りヒータ線２２０を蛇行させて配設されたものである。
【００１９】
図１に示すように、ヒータ線２２０は基本的には毛布２１０の上下方向に蛇行させて配設されている。本体２００の上部では、両側部は毛布２１０の上端部の近傍までヒータ線２２０が配設されているのに対し、中央部は両側部より下方の範囲にのみヒータ線２２０が配設されている。このように、本体２００の上部にはヒータ線２２０の配設密度が低い
疎領域Ａが形成されている。疎領域Ａは配設密度が低いため、加熱容量が小さく、低めの温度に維持される。
【００２０】
これに対して、本体２００の下部は全幅に亘って下端部の近傍までヒータ線２２０が配設されている。このように本体２００の下部にはヒータ線２２０の配設密度が高い密領域Ｂが形成されている。密領域Ｂは配設密度が高いため、加熱容量が大きく、高めの温度に維持される。
【００２１】
上記のように本体の上下のヒータ線２２０の配設密度を変えることにより、使用者が就寝時に横たわった場合に、使用者の頭部側に加熱容量の小さい疎領域Ａが配置され、足元側に加熱容量の大きい密領域Ｂが配置されることにより、頭寒足熱の快適な暖房効果をことができる。
【００２２】
図１に示すように、ヒータ線２２０の両端部は本体の下端縁の近傍に設置されたコネクタ受部４１０に接続されている。コネクタ受部４１０はコントローラ３００の接続コード３２０の先端に接続されたコネクタプラグ４２０を着脱自在に接続できる構成となっている。本体２００に設置されたコネクタ受部４１０とコントローラ３００に設置されたコネクタプラグ４２０とでコネクタ４００が構成されている。
【００２３】
図３に示すように、ヒータ線２２０は、ポリエステルなどの可撓性樹脂からなる芯線２２１の上に抵抗の大きい発熱線２２２が螺旋状に巻き付けられ、その外周にプラスチックサーミスタ層２２３が形成され、その外周に抵抗の小さい温度検知線２２４が螺旋状に巻き付けられ、その外周に塩化ビニールの絶縁層２２５で外被が形成されている。
【００２４】
プラスチックサーミスタ層２２３は塩化ビニールを主成分とし、温度によりインピーダンスが変化する樹脂である。プラスチックサーミスタ層２２３は内周面に配設された発熱線２２２と外周面に配設された温度検知線２２４に電気的に接続されており、発熱線２２２と温度検知線２２４によって温度検知信号を取り出すことができる。このように、ヒータ線２２０は、加熱機能と温度検出機能の２つの機能を備えている。
【００２５】
ヒータ線２２０の発熱線２２２の両端はコネクタ受部４１０と電気的に接続されており、コントローラ３００から供給される電力により発熱する構成となっている。一方、温度検知線２２４は一端がコネクタ受部４１０と電気的に接続されており、温度検知情報をコントローラ３００に送信できる構成となっている。
【００２６】
コントローラ３００は、操作スイッチおよび制御機能を備えたコントローラ本体３１０と、コントローラ３００と本体２００を電気的に接続する接続コード３２０と、接続コード３２０の先端に設置されたコネクタプラグ４２０と、コントローラ本体３１０に電源を供給する電源コード３３０と、電源コード３３０の先端に設置された電源プラグ３３１で構成されている。コネクタプラグ４２０は本体２００に設置されたコネクタ受部４１０とセットでコネクタ４００を構成している。
【００２７】
コントローラ３００の操作機能としては、電気毛布の電源を「入」、「切」する電源スイッチと電気毛布の温度を使用者の好みに合わせて設定する温度設定ダイヤルとを一体に構成したロータリ式のダイヤル３１１がコントローラ本体３１０の上面に設置されている。ダイヤル３１１は透明な樹脂材料で形成されており、その内部には通電状態を表示する電源ランプが配置されている。
【００２８】
＜２＞電気毛布の動作および作用
図３は電気毛布をベッドでの使用状態を示す斜視図である。
【００２９】
電気毛布をベッド１０１で使用する場合は、本体２００のコネクタ受部４１０が配置された側をベッド１０１の足元側に合わせて設置し、コントローラ３００のコネクタプラグ４２０をコネクタ受部４１０に接続する。コントローラ３００を床面に設置して使用することができ、また壁面等にぶら下げて使用してもよい。
【００３０】
また、このように設置することで必然的に本体２００の疎領域がベッド１０１の頭側に、密領域Ｂがベッド１０１の足元側に配置され、頭寒足熱の快適な暖房効果を得ることができる。また、上下方向を間違って使用する誤使用を抑制することができる。
【００３１】
コントローラ３００のダイヤル３１１を回転することにより電源スイッチが入り、電源ランプが点灯してヒータ線２２０に通電が開始される。ダイヤル３１１の回転角度を調節することにより温度を設定することができる。
【００３２】
上記のように、本実施の形態の電気毛布は、図３に示すように、ベッド１０１が壁際に配置されている場合でも、コントローラ３００は足元側に配置されることにより、一般的に寝具であるベッド１０１への出入りを行う電気毛布の側縁に、コントローラ本体３１０および接続コード３２０が配設されていないため、寝具への出入りの際に邪魔になることがなく、極めて使い勝手が良い。
【００３３】
また、このような使い勝手はベッドでの使用に限られるものではなく、布団で使用した場合においても、一般的に布団への出入りを行う電気毛布の側縁にコントローラ本体３１０および接続コード３２０が配設されていないため、同様な効果を得ることができるものである。
【００３４】
また、電気毛布に疎領域と密領域を形成し、コネクタ受部４１０が密領域側の短辺近傍に配置することにより、上下方向を間違って使用することを抑制することができるため、頭寒足熱の快適な暖房効果を確実に得ることができ、誤使用を抑制することができ、安全性と使い勝手を向上することができる。
【００３５】
なお、本実施の形態においては、本体２００のヒータ線２２０の配置において、上下方向に疎領域と密領域が形成されるように配置したが、これに限るものではなく、左右方向において中央部を密領域に両側部を疎領域に配置したもの、あるいは、全体を均等に配置したもの等が考えられるが、これらの配置を採用した場合でも、寝具への出入りに関する使い勝手については同様な効果を得ることができる。
【産業上の利用可能性】
【００３６】
以上のように、本発明にかかる電気毛布は、寝具への出入りの際の使い勝手を向上することができるので、寝具用の暖房機器等の用途にも適用できる。
【符号の説明】
【００３７】
１００  電気毛布
２００  本体
２２０  ヒータ線
３００  コントローラ
３２０  接続コード
４００  コネクタ
４１０  コネクタ受部
４２０  コネクタプラグ
Ａ  疎領域
Ｂ  密領域
【図１】
2016201284.tif 000003
【図２】
2016201284.tif 000004
【図３】
2016201284.tif 000005
【図４】
2016201284.tif 000006